(57)【要約】【課題】ユーザが所望するレシートのフォントを変更する。【解決手段】商取引における売上データをレシート用紙に印刷する売上データ処理装置１であって、特殊フォントデータ３３ａとレシートの特殊フォームデータ３３ｂとを組み合わせとして記憶する電子機器としてのフォント内蔵メモリ２が接続される接続手段と、フォント内蔵メモリ２に内蔵される特殊フォントデータ３３ａと特殊フォームデータ３３ｂとを用いて前記レシート用紙に印刷する印刷制御手段としての印刷制御部４５とを備える。【選択図】図２
2020126680.tif 000002
【特許請求の範囲】
【請求項１】
商取引における売上データをレシート用紙に印刷する売上データ処理装置であって、
フォントのデザイン種別毎に当該デザイン種別のフォントデータが記憶されているとと
もに、フォントのデザイン種別毎に当該デザイン種別に対応させた業種情報が記憶されて
いる記憶手段と、
ユーザ操作に応じて業種情報を選択する選択手段と、
前記選択手段により選択された業種情報に対応するデザイン種別のフォントデータを前
記記憶手段から読み出す読出手段と、
前記読出手段により読み出されたフォントデータを用いて前記売上データを前記レシー
ト用紙に印刷する印刷制御手段と、
を備えることを特徴とする売上データ処理装置。
【請求項２】
前記記憶手段には、フォントのデザイン種別毎に当該デザイン種別に対応させたフォー
ムデータが更に記憶されており、
前記読出手段は、前記選択手段により選択された業種情報に対応するフォームデータを
前記記憶手段から読み出し、
前記印刷制御手段は、前記読出手段により読み出されたフォームデータを用いて前記売
上データを前記レシート用紙に印刷する、
ことを特徴とする請求項１に記載の売上データ処理装置。
【請求項３】
前記フォームデータは、フォントのサイズ情報、罫線の有無情報、または、フォントの
配列方向情報を含む、
ことを特徴とする請求項２に記載の売上データ処理装置。
【請求項４】
前記記憶手段は、前記売上データ処理装置の装置本体に着脱可能に接続される電子機器
であり、
前記印刷制御手段は、前記フォントデータを前記装置本体に接続された前記電子機器か
ら読み出す、
ことを特徴とする請求項１から３の何れかに記載の売上データ処理装置。
【請求項５】
商取引における売上データをレシート用紙に印刷する売上データ処理装置のコンピュー
タを、
ユーザ操作に応じて業種情報を選択する選択手段、
前記選択手段により選択された業種情報に対応するデザイン種別のフォントデータを所
定の記憶手段から読み出す読出手段、
前記読出手段により読み出されたフォントデータを用いて前記売上データを前記レシー
ト用紙に印刷する印刷制御、
として機能させ、
前記記憶手段には、フォントのデザイン種別毎に当該デザイン種別のフォントデータが
記憶されているとともに、フォントのデザイン種別毎に当該デザイン種別に対応させた業
種情報が記憶されている、
ことを特徴とするプログラム。
【発明の詳細な説明】
【技術分野】
【０００１】
この発明は、売上データ処理装置およびプログラムに関する。
【背景技術】
【０００２】
従来、小売店や飲食店などの店舗に設置され、商取引における売上データを登録する電子式キャッシュレジスタ（ＥＣＲ：Electronic Cash Registers）が存在する（特許文献１参照）。この電子式キャッシュレジスタは、登録された売上データや会計処理の内容を印刷したレシートを発行する。
【先行技術文献】
【特許文献】
【０００３】
【特許文献１】特開平６−２８５８０号公報
【発明の概要】
【発明が解決しようとする課題】
【０００４】
ここで、電子式キャッシュレジスタのように大量生産される製品（普及機）の場合には、価格が非常に重要となるので、価格を抑えるために必要最低限の容量のメモリと処理能力のＣＰＵ（Central Processing Unit）とで動作可能にする必要がある。その為、従来の電子式キャッシュレジスタは、メモリの消費を抑えるために、内蔵するフォントを制限するのが一般的である（特に、日本語や中国語のような２バイト文字は、メモリを消費してしまう）。したがって、従来の電子式キャッシュレジスタは、メーカーからの出荷時に予め内蔵されている標準的なフォントデータを用いてレシートを印刷するしかなかった。
【０００５】
本発明の課題は、ユーザが所望するレシートのフォントを変更することである。
【課題を解決するための手段】
【０００６】
前記課題を解決するため、本発明に係る売上データ処理装置は、商取引における売上デ
ータをレシート用紙に印刷する売上データ処理装置であって、フォントのデザイン種別毎
に当該デザイン種別のフォントデータが記憶されているとともに、フォントのデザイン種
別毎に当該デザイン種別に対応させた業種情報が記憶されている記憶手段と、ユーザ操作
に応じて業種情報を選択する選択手段と、前記選択手段により選択された業種情報に対応
するデザイン種別のフォントデータを前記記憶手段から読み出す読出手段と、前記読出手
段により読み出されたフォントデータを用いて前記売上データを前記レシート用紙に印刷
する印刷制御手段と、を備えることを特徴とする。
また、本発明に係るプログラムは、商取引における売上データをレシート用紙に印刷す
る売上データ処理装置のコンピュータを、ユーザ操作に応じて業種情報を選択する選択手
段、前記選択手段により選択された業種情報に対応するデザイン種別のフォントデータを
所定の記憶手段から読み出す読出手段、前記読出手段により読み出されたフォントデータ
を用いて前記売上データを前記レシート用紙に印刷する印刷制御、として機能させ、前記
記憶手段には、フォントのデザイン種別毎に当該デザイン種別のフォントデータが記憶さ
れているとともに、フォントのデザイン種別毎に当該デザイン種別に対応させた業種情報
が記憶されている、ことを特徴とする。
【発明の効果】
【０００７】
本発明によれば、ユーザが所望するレシートのフォントを変更することができる。
【図面の簡単な説明】
【０００８】
【図１】本発明の第１実施形態における売上データ処理装置およびフォント内蔵メモリのハードウェア構成を示す図である。
【図２】本発明の第１実施形態における売上データ処理装置およびフォント内蔵メモリの機能を示すブロック図である。
【図３】本発明の第１実施形態におけるフォント内蔵メモリに記憶される情報を説明するための図であり、（ａ），（ｂ）および（ｃ）は特殊フォントデータと特殊フォームデータとの組み合わせの例示である。
【図４】本発明の第１実施形態における売上データ処理装置により印刷されるレシートを説明する図であり、（ａ）は標準フォントデータおよび標準フォームデータを用いてレシートを印刷した場合を示し、（ｂ）および（ｃ）は特殊フォントデータおよび特殊フォントデータを用いてレシートを印刷した場合を示す。
【図５】本発明の第１実施形態における売上データ処理装置により印刷されるレシートを説明する図であり、（ａ）および（ｂ）は特殊フォントデータおよび特殊フォントデータを用いてレシートを印刷した場合を示す。
【図６】本発明の第１実施形態における売上データ処理装置の動作を示すフローチャートである。
【図７】本発明の第１実施形態における売上データ処理装置の動作を示すフローチャートである。
【図８】本発明の第２実施形態における売上データ処理装置およびフォント内蔵メモリの機能を示すブロック図である。
【発明を実施するための形態】
【０００９】
以下、本発明の実施をするための形態を、適宜図面を参照しながら詳細に説明する。
各図は、本発明を十分に理解できる程度に、概略的に示してあるに過ぎない。よって、本発明は、図示例のみに限定されるものではない。また、参照する図面において、本発明を構成する部材の寸法は、説明を明確にするために誇張して表現されている場合がある。なお、各図において、共通する構成要素や同様な構成要素については、同一の符号を付し、それらの重複する説明を省略する。
【００１０】
図１は、本発明の第１実施形態における売上データ処理装置１およびフォント内蔵メモリ２のハードウェア構成を示す図である。売上データ処理装置１は、小売店や飲食店などの店舗に設置され、商取引における売上データ（商取引の内容を含む）を登録するものである。ここでは、売上データ処理装置１として電子式キャッシュレジスタ（ＥＣＲ：Electronic Cash Registers）を想定して説明する。一方、フォント内蔵メモリ２は、売上データ処理装置１に着脱可能であり、売上データ処理装置１が印刷するレシートのフォントやフォームを変更するために用いられる。以下、各装置の構成について説明する。
【００１１】
＜第１実施形態に係る売上データ処理装置の構成＞
売上データ処理装置１は、キーボード１１、オペレータ用ディスプレイ１２、顧客用ディスプレイ１３、プリンタ１４、キャッシュドロア１５、モード切替スイッチ１６、スロット１７、ＣＰＵ（Central Processing Unit）２１、ＲＯＭ（Read Only Memory）２２、ＲＡＭ（Random Access Memory）２３を備えて構成されている。なお、各構成は、内部バスや各入出力回路（不図示）を介して互いに通信可能に接続されている。
【００１２】
キーボード１１は、売上データ処理装置１を操作するための複数のボタンで構成されている。このキーボード１１には、例えば、数字を入力するためのナンバーキー、個々の商品を登録するためのＰＬＵ（Price Lookup）キー、登録された商品の合計金額を表示するための小計キー、登録の完了および精算を行うための精算キー、レシートを発行するためのレシート発行キー、領収書を発行するための領収書発行キー等が含まれている。
【００１３】
オペレータ用ディスプレイ１２および顧客用ディスプレイ１３は、例えば液晶表示装置である。オペレータ用ディスプレイ１２は、登録した商品の名称、金額、数量等をオペレータに対して表示する。一方、顧客用ディスプレイ１３は、登録した商品の金額、数量等を顧客に対して表示する。
【００１４】
プリンタ１４は、例えば、熱転写プリンタであり、商取引における売上データ（商品名、金額など）をレシート用紙やジャーナル用紙に印刷したレシートやジャーナルを発行する。なお、プリンタ１４は、レシートを発行する装置とジャーナルを発行する装置とのように、印刷対象物毎に別々に構成されていてもよい。また、プリンタ１４は、レシートのみを発行する装置であってもよい。
【００１５】
キャッシュドロア１５は、商品の会計時に扱われる紙幣、貨幣、金券などを保管する引出しである。キャッシュドロア１５は、オペレータによるキーボード１１の操作で、オペレータ側（手前側）にスライドすることで開放される。
【００１６】
モード切替スイッチ１６は、売上データ処理装置１のモードを変更するものである。ここで、売上データ処理装置１のモードには、例えば、商取引における商品の登録を行う登録モード、電卓計算を行う電卓モード、設定を行う設定モード、使用を終了する電源オフモード等がある。
【００１７】
スロット１７は、売上データ処理装置１とフォント内蔵メモリ２とを物理的に接続するものである。スロット１７は、例えば、フォント内蔵メモリ２を差し込む為の隙間状の穴であってよい。なお、フォント内蔵メモリ２を装着していない場合において、スロット１７はカバーで覆い隠されているのがよい。
【００１８】
ＣＰＵ２１は、中央制御装置であり、売上データ処理装置１全体の制御を司る。ＣＰＵ２１は、例えば、商品の登録処理、会計処理、ディスプレイ１２，１３への表示処理、レシートの印刷処理等の各種の動作を制御する。
ＲＯＭ２２は、読み出しが可能な不揮発性の記憶手段であり、ＣＰＵ２１によって実行される制御用のプログラム等を記憶する。
ＲＡＭ２３は、書き込みと読み出しが可能な揮発性の記憶手段であり、ＣＰＵ２１によって使用される一時記憶手段である。
【００１９】
＜第１実施形態に係るフォント内蔵メモリの構成＞
フォント内蔵メモリ２は、接続端子３１、コントローラ３２、フラッシュメモリチップ３３を備えて構成されている。なお、各構成は、内部バスや各入出力回路（不図示）を介して互いに通信可能に接続されている。
【００２０】
接続端子３１は、フォント内蔵メモリ２を他の装置（ここでは、売上データ処理装置１）に対して物理的に接続するものである。接続端子３１は、スロット１７に対応した形状をしており、ここでは隙間状の穴に嵌合する形状をしている。なお、売上データ処理装置１に装着されていない場合において、接続端子３１はカバーで覆い隠されているのがよい。
【００２１】
コントローラ３２は、フォント内蔵メモリ２の制御を行う半導体部品である。フォント内蔵メモリ２とフォント内蔵メモリ２を接続した他の装置（ここでは、売上データ処理装置１）との間におけるデータの転送は、予め決められた仕様に沿ってコントローラ３２の制御により行われる。この仕様は、特に限定されない。つまり、既存の仕様であってもよく、また、既存の仕様とは異なる新たに作成した仕様であってもよい。
【００２２】
フラッシュメモリチップ３３は、読み出しが可能な不揮発性の記憶手段であり、ＣＰＵ２１によって読みだされる。なお、フラッシュメモリチップ３３に記憶される情報は、売上データ処理装置１に保存ができないようにし、フォント内蔵メモリ２が売上データ処理装置１に接続されている場合に限りその情報を使用することができる。
【００２３】
図２は、本発明の第１実施形態における売上データ処理装置１およびフォント内蔵メモリ２の機能を示すブロック図である。売上データ処理装置１のＣＰＵ２１は、ＲＯＭ２２に格納されたプログラム（図示せず）を実行することにより、入力取得部４１、販売情報登録部４２および出力制御部４３を備える。
【００２４】
入力取得部４１は、キーボード１１を用いた入力操作を受け付け、各種の入力情報を取得する。例えば、商品の登録を行う場合に、オペレータによるキーボード１１を用いた商品登録の入力操作を受け付ける。また、会計処理を行う場合に、オペレータによるキーボード１１を用いた金額の入力操作を受け付ける。
【００２５】
販売情報登録部４２は、入力取得部４１により取得された入力情報を用いて、ＲＡＭ２３に取引明細データ２３ａを登録する。なお、商品名、単価などの情報を含む商品内容データ（図示せず）がＲＡＭ２３内に記憶されている場合、販売情報登録部４２は、この商品内容データを用いて取引明細データ２３ａを登録してもよい。
【００２６】
出力制御部４３は、オペレータ用ディスプレイ１２や顧客用ディスプレイ１３への表示処理やレシートの印刷処理を制御するものである。出力制御部４３は、表示制御部４４と、印刷制御部４５とを備える。
表示制御部４４は、入力取得部４１により取得された入力情報および取引明細データ２３ａをオペレータ用ディスプレイ１２や顧客用ディスプレイ１３に表示する。
【００２７】
印刷制御部４５は、プリンタ１４を用いて取引明細データ２３ａをレシート用紙に印刷する。ここで、ＲＯＭ２２には、レシートの印刷に用いられる標準フォントデータ２２ａと標準フォームデータ２２ｂとが記憶されている。標準フォントデータ２２ａは、出荷時に設定されたレシートのフォントについての情報である。また、標準フォームデータ２２ｂは、出荷時に設定されたレシートのフォームについての情報である。印刷制御部４５は、フォント内蔵メモリ２が接続されていない状態において、ＲＯＭ２２に記憶される標準フォントデータ２２ａおよび標準フォームデータ２２ｂを用いてレシートを印刷する。
【００２８】
一方、フォント内蔵メモリ２内のフラッシュメモリチップ３３には、レシート用紙への印刷に用いられる特殊フォントデータ３３ａと特殊フォームデータ３３ｂとが組み合わせとして記憶されている。印刷制御部４５は、フォント内蔵メモリ２が接続されている状態において、フラッシュメモリチップ３３に記憶される特殊フォントデータ３３ａおよび特殊フォームデータ３３ｂを用いてレシート用紙に印刷する。
【００２９】
特殊フォントデータ３３ａは、売上データ処理装置１に予め記憶されていないフォントデータ（標準フォントデータ２２ａとは異なるフォントデータ）である。例えば、標準フォントデータ２２ａが「楷書体」である場合に、特殊フォントデータ３３ａは「行書体」、「丸文字書体」、「筆記体」等であってよい。丸文字書体は、人間が手書きしたような書体を想定している。また、特殊フォームデータ３３ｂは、売上データ処理装置１に予め記憶されていないフォームデータ（標準フォームデータ２２ｂとは異なるフォームデータ）である。例えば、標準フォームデータ２２ｂが「罫線なしの横書き」であった場合に、特殊フォームデータ３３ｂは「罫線ありの横書き」、「倍文字の横書き」、「縦書き」等であってよい。
【００３０】
ここで、特殊フォントデータ３３ａと特殊フォームデータ３３ｂとの組み合わせは、レシートの見やすさ等を考慮するのがよい。例えば、明朝体は文字の線が他のフォントに比べて細いので、文字のサイズが小さいとレシートが見づらくなってしまう。その為、特殊フォントが明朝体のように文字の線が細いフォントの場合には、文字のサイズを大きくした特殊フォーム（例えば、倍文字）を組み合わせるようにするのがよい。
【００３１】
また、特殊フォントデータ３３ａと特殊フォームデータ３３ｂとの組み合わせは、設置される店舗の雰囲気を演出したり、店舗で行われる業務の内容を表すものにすることもできる。例えば、特殊フォントとしての行書体と特殊フォームとしての縦書きフォームとを組み合わせることで、純和風の雰囲気を演出したり、和食料理店を表すことができる。また、特殊フォントとしての丸文字書体と罫線を追加した特殊フォームとを組み合わせることで、手書き伝票風を演出したり、コンセプトカフェを表すことができる。
【００３２】
図３を参照して、特殊フォントデータ３３ａと特殊フォームデータ３３ｂとの組み合わせについて具体的に説明する。図３は、特殊フォントデータ３３ａと特殊フォームデータ３３ｂとの組み合わせの例示である。
【００３３】
図３（ａ）では、特殊フォントに対して特殊フォームが「１対１」で対応づけられている。具体的には、特殊フォント「明朝体」に対して特殊フォーム「フォームＡ（倍文字）」が対応づけられている。また、特殊フォント「行書体」に対して特殊フォーム「フォームＢ（縦書き）」が対応づけられている。また、特殊フォント「丸文字書体」に対して特殊フォーム「フォームＣ（罫線追加）」が対応づけられている。また、特殊フォント「筆記体」に対して特殊フォーム「フォームＤ（罫線追加）」が対応づけられている。
【００３４】
図３（ａ）に示す特殊フォントと特殊フォームとの組み合わせを用いて印刷したレシートを図４および図５に例示する（標準フォントおよび標準フォームを用いて印刷したレシートも比較例として記載）。
【００３５】
図４（ａ）は、標準フォントおよび標準フォームを用いて印刷したレシートの例示である。
図４（ｂ）は、特殊フォント「明朝体」と特殊フォーム「フォームＡ（倍文字）」との組み合わせを用いて印刷したレシートの例示である。
図４（ｃ）は、特殊フォント「行書体」と特殊フォーム「フォームＢ（縦書き）」との組み合わせを用いて印刷したレシートの例示である。
図５（ａ）は、特殊フォント「丸文字書体」と特殊フォーム「フォームＣ（罫線追加）」との組み合わせを用いて印刷したレシートの例示である。
図５（ｂ）は、特殊フォント「筆記体」と特殊フォーム「フォームＤ（罫線追加）」との組み合わせを用いて印刷したレシートの例示である。
【００３６】
図３に戻って、特殊フォントデータ３３ａと特殊フォームデータ３３ｂとの組み合わせについて説明する。図３（ｂ）では、カテゴリに対して特殊フォントおよび特殊フォームを対応づけている。ここで、カテゴリとは、例えば、特殊フォントおよび特殊フォームの組み合わせを用いてレシートを印刷した場合の印象であってよく、特殊フォントおよび特殊フォームの組み合わせを選択する際の参考になるものであるのがよい。ここでは、特殊フォント「行書体」と特殊フォーム「フォームＢ（縦書き）」との組み合わせに対してカテゴリ「純和風」が対応づけられている。また、特殊フォント「丸文字書体」と特殊フォーム「フォームＣ（罫線追加）」との組み合わせに対してカテゴリ「手書き風」が対応づけられている。また、特殊フォント「筆記体」と特殊フォーム「フォームＤ（罫線追加）」との組み合わせに対してカテゴリ「エレガント風」が対応づけられている。この場合、オペレータは、カテゴリを選択することで、店舗の雰囲気に合致する特殊フォントおよび特殊フォームをより簡単に選択することが可能である。
【００３７】
図３（ｃ）では、業種に対して特殊フォントおよび特殊フォームを対応づけている。ここで、業種とは、例えば、売上データ処理装置１が設置される店舗を分類するものであってよく、特殊フォントおよび特殊フォームの組み合わせを選択する際の参考になるものであるのがよい。ここでは、特殊フォント「行書体」と特殊フォーム「フォームＢ（縦書き）」との組み合わせに対して業種「和食料理店」が対応づけられている。また、特殊フォント「丸文字書体」と特殊フォーム「フォームＣ（罫線追加）」との組み合わせに対して業種「コンセプトカフェ」が対応づけられている。また、特殊フォント「筆記体」と特殊フォーム「フォームＤ（罫線追加）」との組み合わせに対して業種「イタリアンレストラン」が対応づけられている。この場合、オペレータは、業種を選択することで、店舗で行われる業務の内容に合致する特殊フォントおよび特殊フォームをより簡単に選択することが可能である。
【００３８】
図２に戻って、フォント内蔵メモリ２について説明を続ける。図２に示すように、フォント内蔵メモリ２のコントローラ３２は、メモリチップ制御部５１を備える。メモリチップ制御部５１は、フォント内蔵メモリ２と売上データ処理装置１との間におけるデータの転送を制御する。
【００３９】
＜第１実施形態に係る売上データ処理装置の動作＞
図６は、本発明の第１実施形態における売上データ処理装置１にフォント内蔵メモリ２が接続された際の処理を示すフローチャートである。
売上データ処理装置１は、オペレータによるモード切替スイッチ１６（図１参照）の操作によって「設定モード」にモードが切り替えられることによって図６に示す一連の処理を開始する。ここで、オペレータは、レシートのフォントおよびフォームを変更したい場合に、「電源ＯＦＦモード」の状態で売上データ処理装置１にフォント内蔵メモリ２を予め装着している。
【００４０】
先ず、ＣＰＵ２１は、売上データ処理装置１にフォント内蔵メモリ２が装着されているか否かを判定する（ステップＳ１）。フォント内蔵メモリ２が装着されていない場合（ステップＳ１で“Ｎｏ”）に、ＣＰＵ２１は、ＲＯＭ２２に内蔵されている標準フォントおよび標準フォームをレシート用のフォントおよびフォームに決定する（ステップＳ２）。そして、この処理を終了する。一方、フォント内蔵メモリ２が装着されている場合（ステップＳ１で“Ｙｅｓ”）に、ＣＰＵ２１は、処理をステップＳ３に進める。
【００４１】
フォント内蔵メモリ２が装着されている場合（ステップＳ１で“Ｙｅｓ”）に、ＣＰＵ２１は、フォント内蔵メモリ２のフラッシュメモリチップ３３に格納されている特殊フォントデータ３３ａおよび特殊フォームデータ３３ｂの情報を取得し、取得した情報をオペレータ用ディスプレイ１２に表示する（ステップＳ３）。特殊フォントデータ３３ａおよび特殊フォームデータ３３ｂの情報の表示は、例えば図３（ａ）に示す内容が格納されていた場合には、選択可能な複数の特殊フォントの名称をオペレータ用ディスプレイ１２に一覧表示する。また、図３（ｂ）に示す内容が格納されていた場合には、選択可能な複数のカテゴリの名称をオペレータ用ディスプレイ１２に一覧表示したり、図３（ｃ）に示す内容が格納されていた場合には、選択可能な複数の業種の名称をオペレータ用ディスプレイ１２に一覧表示したりするものでよい。これにより、オペレータは、フラッシュメモリチップ３３に格納されている特殊フォントデータ３３ａおよび特殊フォームデータ３３ｂの内容を確認することができる。
【００４２】
次に、ＣＰＵ２１は、オペレータによる特殊フォントおよび特殊フォームの選択を受け付ける（ステップＳ４）。オペレータによる特殊フォントおよび特殊フォームの選択は、キーボード１１を用いて行われる。例えば、オペレータは、ステップＳ３で選択可能な複数のカテゴリの名称がオペレータ用ディスプレイ１２に一覧表示されている場合において、店舗の雰囲気に合うカテゴリを選択する。この場合、カテゴリを選択することが、そのカテゴリに対応する特殊フォントを選択することになる。また、オペレータは、ステップＳ３で選択可能な複数の業種の名称がオペレータ用ディスプレイ１２に一覧表示されている場合において、店舗の業務に合う業種を選択する。この場合、業種を選択することが、その業種に対応する特殊フォントを選択することになる。
【００４３】
次に、ＣＰＵ２１は、ステップＳ４でオペレータに選択された特殊フォントおよび特殊フォームをレシート用のフォントおよびフォームに決定する（ステップＳ５）。ここで決定した特殊フォントおよび特殊フォームの情報は、例えば、ＲＡＭ２３に格納しておき、印刷制御部４５は、レシートの印刷時にこの情報を用いてフラッシュメモリチップ３３から特殊フォントおよび特殊フォームを取得する。そして、この処理を終了する。
【００４４】
次に、売上データ処理装置１における商品登録処理およびレシートの印刷処理について説明する。図７は、本発明の第１実施形態における売上データ処理装置１の商品登録処理およびレシートの印刷処理を示すフローチャートである。
売上データ処理装置１は、オペレータによるモード切替スイッチ１６の操作によって「登録モード」にモードが切り替えているものとする。
【００４５】
先ず、オペレータによるキーボード１１の操作によって商品の登録が行われる（ステップＳ１１）。続いて、ＣＰＵ２１は、すべての商品の登録が終了したか否かを判定する（ステップＳ１２）。すべての商品の登録が終了していない場合（ステップＳ１２で“Ｎｏ”）に、ＣＰＵ２１は処理をステップＳ１１に戻す。一方、すべての商品の登録が終了した場合（ステップＳ１２で“Ｙｅｓ”）に、ＣＰＵ２１は処理をステップＳ１３に進める。なお、ステップＳ１２の処理は、例えば、オペレータによって精算キーが選択された場合に行われる。
【００４６】
次に、販売情報登録部４２は、ステップＳ１１で登録された情報を用いて取引明細データ２３ａを作成する（ステップＳ１３）。続いて、印刷制御部４５は、売上データ処理装置１にフォント内蔵メモリ２が装着されているか否かを判定する（ステップＳ１４）。フォント内蔵メモリ２が装着されていない場合（ステップＳ１４で“Ｎｏ”）に、印刷制御部４５は、取引明細データ２３ａを読み出して、ＲＯＭ２２に内蔵されている標準フォントデータ２２ａおよび標準フォームデータ２２ｂを用いて読み出した取引明細データ２３ａの内容をレシート用紙に印刷する（ステップＳ１５）。一方、フォント内蔵メモリ２が装着されている場合（ステップＳ１４で“Ｙｅｓ”）に、印刷制御部４５は、取引明細データ２３ａを読み出して、フォント内蔵メモリ２のフラッシュメモリチップ３３に格納されている特殊フォントデータ３３ａおよび特殊フォームデータ３３ｂを用いて読み出した取引明細データ２３ａの内容をレシート用紙に印刷する（ステップＳ１６）。そして、この処理を終了し、オペレータはステップＳ１５またはステップＳ１６で印刷されたレシートを顧客に渡す。
【００４７】
以上のように、第１実施形態に係る売上データ処理装置１は、フォント内蔵メモリ２を装着するスロット１７を備える。そして、売上データ処理装置１は、フォント内蔵メモリ２を装着した状態で、フォント内蔵メモリ２に記憶される特殊フォントデータ３３ａおよび特殊フォームデータ３３ｂの読み込みを行い、読み込んだ特殊フォントデータ３３ａおよび特殊フォームデータ３３ｂを用いてレシート用紙に印刷する。したがって、第１実施形態に係る売上データ処理装置１では、予め複数のフォントデータやフォームデータを内蔵していなくても、レシートによって店舗の雰囲気を演出したり、店舗で行われる業務の内容を表すことができる。
【００４８】
また、特殊フォントデータ３３ａおよび特殊フォームデータ３３ｂをライセンス契約により使用する場合を想定すると、第１実施形態に係る売上データ処理装置１では、ライセンス契約のある特殊フォントデータ３３ａおよび特殊フォームデータ３３ｂだけをフォント内蔵メモリ２に格納して配布することも可能である。
【００４９】
＜第２実施形態に係る売上データ処理装置の構成＞
図８は、本発明の第２実施形態における売上データ処理装置１０１およびフォント内蔵メモリ１０２の機能を示すブロック図である。
図２に示す第１実施形態では、フォント内蔵メモリ２のフラッシュメモリチップ３３に特殊フォントデータ３３ａおよび特殊フォームデータ３３ｂが記憶されていた。図８に示す第２実施形態では、フォント内蔵メモリ１０２のフラッシュメモリチップ１３３に特殊フォントデータ３３ａが記憶されており、売上データ処理装置１０１のＲＯＭ１２２に特殊フォームデータ３３ｂが記憶されている。
【００５０】
メモリチップ制御部１５１は、フラッシュメモリチップ１３３に記憶される特殊フォントデータ３３ａをＣＰＵ１２１に転送する。ここで、フラッシュメモリチップ１３３に複数の特殊フォントデータ３３ａが記憶されている場合には、ＲＯＭ１２２に記憶される特殊フォームデータ３３ｂと組み合わせの関係にある特殊フォントデータ３３ａをメモリチップ制御部１５１が転送するようにしてもよい。その場合には、ＣＰＵ１２１にはＲＯＭ１２２に記憶される特殊フォームデータ３３ｂとフラッシュメモリチップ１３３に記憶される特殊フォントデータ３３ａとの組み合わせに関する情報を予め持たせておき、ＣＰＵ１２１の制御によって転送する特殊フォントデータ３３ａを選定するのがよい。なお、対応する組み合わせが複数ある場合には、これらの組み合わせの中からオペレータが任意のものを選択してもよい。
【００５１】
印刷制御部１４５は、フォント内蔵メモリ１０２が接続されていない状態において、ＲＯＭ１２２に記憶される標準フォントデータ２２ａおよび標準フォームデータ２２ｂを用いてレシート用紙に印刷する。
一方、印刷制御部１４５は、フォント内蔵メモリ１０２が接続されている状態において、フラッシュメモリチップ１３３に記憶される特殊フォントデータ３３ａおよびＲＯＭ１２２に記憶される特殊フォームデータ３３ｂを用いてレシート用紙に印刷する。
【００５２】
［変形例］
以上、本発明の実施形態について説明したが、本発明はこれに限定されるものではなく、特許請求の範囲の趣旨を変えない範囲で実施することができる。第１実施形態の変形例を以下に示す。なお、第２実施形態についても同様である。
【００５３】
第１実施形態では、売上データ処理装置１として電子式キャッシュレジスタ（ＥＣＲ：Electronic Cash Registers）を想定して説明を行った。しかしながら、売上データ処理装置１の構成は、これに限定されるものではない。売上データ処理装置１は、レシートを発行する装置であればよい。
【００５４】
また、第１実施形態では、一つの特殊フォントに対して一つの特殊フォームが対応づけられている「１対１」の組み合わせであった。しかしながら、特殊フォントと特殊フォームとの組み合わせはこれに限定されるものではなく、例えば、一つの特殊フォントに対して複数の特殊フォームが対応づけられている組み合わせや一つの特殊フォームに対して複数の特殊フォントが対応づけられている組み合わせのように「１対多」の組み合わせであってもよい。この場合、オペレータ自身が特殊フォントと特殊フォームの組み合わせを選択できるので、店舗の雰囲気を演出したり、店舗で行われる業務の内容をより正確に表すことができる。カテゴリや業種を用いて特殊フォントと特殊フォームとの対応づけを行う場合も同様である。
【００５５】
また、第１実施形態では、フラッシュメモリチップ３３に記憶される情報（特殊フォントデータ３３ａおよび特殊フォームデータ３３ｂ）が、売上データ処理装置１に保存ができないようにするようにし、フォント内蔵メモリ２が売上データ処理装置１に接続されている場合に限りその情報を使用できるようにしていた。しかしながら、特殊フォントデータ３３ａおよび特殊フォームデータ３３ｂの取り扱いはこれに限定されるものではない。例えば、特殊フォントデータ３３ａおよび特殊フォームデータ３３ｂを書き換え可能な記憶媒体に記憶しておき、特殊フォントデータ３３ａおよび特殊フォームデータ３３ｂと標準フォントデータ２２ａおよび標準フォームデータ２２ｂとの入れ替えを行うようししてもよい。その場合、これらの情報をブロック毎に分割して、ブロック単位で入れ替えをおこなってもよい。
【００５６】
また、フォント内蔵メモリ２に記憶される情報（特殊フォントデータ３３ａおよび特殊フォームデータ３３ｂ）を、容量が許容する範囲内で売上データ処理装置１に保存するようにしてもよい。その場合、売上データ処理装置１に保存された情報に何らかの制限を設定しておき、フォント内蔵メモリ２が装着されることでその制限が解除されて使用可能にしてもよいし、フォント内蔵メモリ２に記憶される情報を削除するようにしてもよい。この場合に、フォント内蔵メモリ２に記憶される情報を削除した後にさらに汎用のフォーマットで初期化してもよい。
【００５７】
以下に、この出願の願書に最初に添付した特許請求の範囲に記載した発明を付記する。付記に記載した請求項の項番は、この出願の願書に最初に添付した特許請求の範囲の通りである。
〔付記〕
＜請求項１＞
商取引における売上データをレシート用紙に印刷する売上データ処理装置であって、
ユーザが所望するフォントデータを選択する選択手段と、
前記選択手段により選択されたフォントデータに対応するフォームデータを読み出し、前記選択されたフォントデータと前記読み出されたフォームデータとを用いて前記レシート用紙に印刷する印刷制御手段と、
を備えることを特徴とする売上データ処理装置。
＜請求項２＞
前記フォントデータに対応する前記フォームデータを記憶する記憶手段を更に備え、
前記印刷制御手段は、前記選択手段により選択されたフォントデータに対応するフォームデータを前記記憶手段から読み出し、前記選択されたフォントデータと前記読み出されたフォームデータとを用いて前記レシート用紙に印刷する、
ことを特徴とする請求項１に記載の売上データ処理装置。
＜請求項３＞
前記記憶手段は、前記売上データ処理装置の装置本体に接続される電子機器であり、
前記印刷制御手段は、前記選択手段により選択されたフォントデータに対応するフォームデータを前記電子機器から読み出し、前記選択されたフォントデータと前記読み出されたフォームデータとを用いて前記レシート用紙に印刷する、
ことを特徴とする請求項２に記載の売上データ処理装置。
＜請求項４＞
商取引における売上データをレシート用紙に印刷する売上データ処理装置のコンピュータを、
ユーザが所望するフォントデータを選択する選択手段、
前記選択手段により選択されたフォントデータに対応するフォームデータを読み出し、前記選択されたフォントデータと前記読み出されたフォームデータとを用いて前記レシート用紙に印刷する印刷制御手段、
として機能させるためのプログラム。
＜請求項５＞
商取引における売上データをレシート用紙に印刷する売上データ処理装置であって、
フォントデータとレシートのフォームデータとを組み合わせとして記憶する電子機器が接続される接続手段と、
当該電子機器に内蔵される前記フォントデータと前記フォームデータとを用いて前記レシート用紙に印刷する印刷制御手段と、
を備えることを特徴とする売上データ処理装置。
＜請求項６＞
前記電子機器には、前記フォントデータと前記フォームデータとの組み合わせが業種またはカテゴリに対応づけて記憶されており、
前記印刷制御手段は、入力手段を介して入力された業種またはカテゴリに対応する前記フォントデータと前記フォームデータとを用いて売上データを前記レシート用紙に印刷する、
ことを特徴とする請求項５に記載の売上データ処理装置。
＜請求項７＞
前記フォントデータとは異なる標準フォントデータおよび前記フォームデータとは異なる標準フォームデータを記憶する記憶手段をさらに備え、
前記印刷制御手段は、
前記電子機器が接続されているときに当該電子機器に内蔵される前記フォントデータと前記フォームデータとを用いて前記レシート用紙に印刷し、
前記電子機器が接続されていないときには、前記記憶手段に記憶される前記標準フォントデータと前記標準フォームデータとを用いて前記レシート用紙に印刷する、
ことを特徴とする請求項５または請求項６に記載の売上データ処理装置。
＜請求項８＞
電子機器が接続される接続手段を備えるコンピュータを、商取引における売上データをレシート用紙に印刷する売上データ処理装置として機能させるためのプログラムであって、
前記電子機器には、フォントデータとレシートのフォームデータとが組み合わせとして記憶されており、
前記コンピュータを、当該電子機器に内蔵される前記フォントデータと前記フォームデータとを用いて前記レシート用紙に印刷する印刷制御手段として機能させるためのプログラム。
＜請求項９＞
請求項５に記載の売上データ処理装置に接続される電子機器であって、
フォントデータとレシートのフォームデータとを組み合わせとして記憶する記憶手段と、
前記記憶手段に記憶される前記フォントデータと前記フォームデータとを前記売上データ処理装置に転送する転送制御手段と、
を備えることを特徴とする売上データ処理装置に接続される電子機器。
＜請求項１０＞
商取引における売上データをレシート用紙に印刷する売上データ処理装置であって、
レシートのフォームデータを記憶する記憶手段と、
前記フォームデータと組み合わせの関係にあるフォントデータを記憶する電子機器が接続される接続手段と、
前記フォントデータと前記フォームデータとを用いて前記レシート用紙に印刷する印刷制御手段と、
を備えることを特徴とする売上データ処理装置。
＜請求項１１＞
電子機器が接続される接続手段を備えるコンピュータを、商取引における売上データをレシート用紙に印刷する売上データ処理装置として機能させるためのプログラムであって、
前記コンピュータには、レシートのフォームデータが記憶されており、
前記電子機器には、前記フォームデータと組み合わせの関係にあるフォントデータが記憶されており、
前記コンピュータを、前記フォントデータと前記フォームデータとを用いて前記レシート用紙に印刷する印刷制御手段として機能させるためのプログラム。
＜請求項１２＞
請求項１０に記載の売上データ処理装置に接続される電子機器であって、
前記フォームデータと組み合わせの関係にあるフォントデータを記憶する記憶手段と、
前記記憶手段に記憶される前記フォントデータを前記売上データ処理装置に転送する転送制御手段と、
を備えることを特徴とする売上データ処理装置に接続される電子機器。
【符号の説明】
【００５８】
１，１０１  売上データ処理装置
２，１０２  フォント内蔵メモリ（電子機器）
１１    キーボード（入力手段）
１２    オペレータ用ディスプレイ（表示手段）
１４    プリンタ（印刷手段）
１７    スロット（接続手段）
２１，１２１  ＣＰＵ（コンピュータ）
２２，１２２  ＲＯＭ（記憶手段）
２２ａ  標準フォントデータ
２２ｂ  標準フォームデータ
２３    ＲＡＭ
２３ａ  取引明細データ（売上データ）
３１    接続端子（接続手段）
３２，１３２  コントローラ（制御手段）
３３，１３３  フラッシュメモリチップ（記憶手段）
３３ａ  特殊フォントデータ（フォントデータ）
３３ｂ  特殊フォームデータ（フォームデータ）
４３    出力制御部
４４    表示制御部
４５，１４５  印刷制御部（印刷制御手段）
５１，１５１  メモリチップ制御部（転送制御手段）
【図１】
2020126680.tif 000003
【図２】
2020126680.tif 000004
【図３】
2020126680.tif 000005
【図４】
2020126680.tif 000006
【図５】
2020126680.tif 000007
【図６】
2020126680.tif 000008
【図７】
2020126680.tif 000009
【図８】
2020126680.tif 000010
【手続補正書】
【提出日】令和2年5月11日(2020.5.11)
【手続補正２】
【補正対象書類名】明細書
【補正対象項目名】０００１
【補正方法】変更
【補正の内容】
【０００１】
本発明は、売上データ処理装置に関する。
【手続補正３】
【補正対象書類名】明細書
【補正対象項目名】０００６
【補正方法】変更
【補正の内容】
【０００６】
前記課題を解決するため、本発明に係る売上データ処理装置は、レシートを発行可能な売上データ処理装置であって、前記レシートを発行する場合に優先して前記レシートに適用されるフォントデータが記憶されている外部メモリと、前記外部メモリが当該売上データ処理装置から外されている場合に前記レシートに適用されるフォントデータが記憶されている内部メモリと、を備えていることを特徴とする。
【手続補正４】
【補正対象書類名】特許請求の範囲
【補正対象項目名】全文
【補正方法】変更
【補正の内容】
【特許請求の範囲】
【請求項１】
レシートを発行可能な売上データ処理装置であって、
前記レシートを発行する場合に優先して前記レシートに適用されるフォントデータが記憶されている外部メモリと、
前記外部メモリが当該売上データ処理装置から外されている場合に前記レシートに適用されるフォントデータが記憶されている内部メモリと、
を備えていることを特徴とする売上データ処理装置。
【請求項２】
前記外部メモリには、フォントのデザイン種別毎に当該デザイン種別のフォントデータが記憶されているとともに、フォントのデザイン種別毎に当該デザイン種別に対応させた業種情報が記憶されており、
前記外部メモリに記憶されているフォントデータを前記レシートに適用する場合には、ユーザにより予め選択設定されている業種情報に対応するデザイン種別のフォントデータが適用される、
ことを特徴とする請求項１に記載の売上データ処理装置。
【請求項３】
前記内部メモリには、標準的なフォントデータが記憶されており、
前記内部メモリに記憶されているフォントデータを前記レシートに適用する場合には、ユーザにより予め選択設定されている業種情報にかかわらず、前記標準的なフォントデータが適用される、
ことを特徴とする請求項１又は２に記載の売上データ処理装置。
【請求項４】
前記外部メモリに記憶されている前記レシートに適用されるフォントデータを前記内部メモリに記憶する記憶制御手段を更に備えていることを特徴とする請求項１〜３の何れか一項に記載の売上データ処理装置。
【請求項５】
レシートを発行可能な売上データ処理装置であって、
前記レシートを発行する場合に優先して前記レシートに適用されるフォントデータ及びフォームデータが記憶されている外部メモリと、
前記外部メモリが当該売上データ処理装置から外されている場合に前記レシートに適用されるフォントデータ及びフォームデータが記憶されている内部メモリと、
を備えていることを特徴とする売上データ処理装置。
【請求項６】
前記外部メモリには、フォントのデザイン種別毎に当該デザイン種別のフォントデータが記憶されているとともに、フォントのデザイン種別毎に当該デザイン種別に対応させたフォームデータが記憶されており、
前記外部メモリに記憶されているフォントデータ及びフォームデータを前記レシートに適用する場合には、ユーザにより予め選択設定されているデザイン種別に対応するフォントデータ及びフォームデータが適用される、
ことを特徴とする請求項５に記載の売上データ処理装置。
【請求項７】
前記内部メモリには、標準的なフォントデータ及びフォームデータが記憶されており、
前記内部メモリに記憶されているフォントデータ及びフォームデータを前記レシートに適用する場合には、ユーザにより予め選択設定されているデザイン種別にかかわらず、前記標準的なフォントデータ及びフォームデータが適用される、
ことを特徴とする請求項６に記載の売上データ処理装置。